(57)【特許請求の範囲】
【請求項１】
第１地板と第２地板とが取付けねじによって取り付けられ、それらの間に、シャッタ羽根を収容するための少なくとも一つの羽根室を構成するカメラ用シャッタにおいて、
合成樹脂製の前記第１地板には一体成形によって筒部が設けられ、該筒部は、前記第１地板側に大径部を有し、前記第２地板側に該第２地板の取付け孔に嵌合する小径部を有していると共に、前記大径部の内部が前記取付けねじの外径よりも大きい大径孔として形成され、前記小径部の内部が前記取付けねじの外径よりも小さい小径孔として形成されており、前記取付けねじが前記第１地板側から前記大径孔に挿入されて前記小径孔にねじ込まれたとき、前記小径部が径方向外側に変形することによって、前記筒部と前記取付け孔が固着されるようにしたことを特徴とするカメラ用シャッタ。
【請求項２】
前記第２地板が、カメラ内において、被写体側に配置される地板であることを特徴とする請求項１に記載のカメラ用シャッタ。
【発明の詳細な説明】
【０００１】
【発明の属する技術分野】
本発明は、二つの地板が取付けねじによって取り付けられ、それらの間に、シャッタ羽根を収容するための少なくとも一つの羽根室を構成するカメラ用シャッタに関する。
【０００２】
【従来の技術】
カメラ用シャッタの種類は、カメラ内での配置位置によって、フォーカルプレンシャッタとレンズシャッタに分けることができる。そのうち、フォーカルプレンシャッタは、通常、被写体側から順に、シャッタ地板（基板などともいう），中間板（仕切り板などともいう），補助地板（カバー板などともいう）という三つの板部材を配置していて、それらの間に設けられた二つの空間を先羽根群と後羽根群の羽根室にしている。そして、それらの三つの板部材のうち、少なくともシャッタ地板と補助地板とは、相互に固着されている。
【０００３】
他方、レンズシャッタは、通常、被写体側から順に、シャッタ地板と補助地板とが配置され、それらの間にシャッタ羽根の羽根室を構成して、相互に固着されている。但し、レンズシャッタの場合にも、開き用のシャッタ羽根と閉じ用のシャッタ羽根を別々に設ける場合があるが、その場合には、上記したフォーカルプレンシャッタの中間板と同様にして隔壁を設け、二つの羽根室を構成するようにしている。また、シャッタ羽根と絞り羽根を一つのユニットとして製作することもあるが、その場合にも隔壁を設け、シャッタ羽根の羽根室と絞り羽根の羽根室を構成するようにしている。尚、絞り羽根の羽根室には、絞り羽根に代えて、口径の異なる複数の開口部を有する回転板が配置されることもある。
【０００４】
ところで、上記のような各種のシャッタ構成において、シャッタ地板と補助地板とを固着する場合には、シャッタの小型化に対する要求が大きいことから、取り付け構成に要するスペースを出来るだけ小さくし、羽根室内を出来るだけ広くする必要がある。また、所定の取り付け強度が得られ、且つ組立作業が行い易く、低コストであることも要求される。そして、そのようなことを勘案した取り付け構成としては、取付けねじを用い、めねじとの螺合によって取り付けるようにしたものが知られている。また、最近では、これらの地板のうち少なくとも一方を合成樹脂で製作することが多くなってきたため、取付けねじとしてタッピンねじを用い、その先端を、合成樹脂の地板に形成した小径の孔にねじ込んで固着するようにしたものも知られている。そこで、そのような従来の取り付け構成を、図８及び図９を用いて説明する。
【０００５】
図８は、取付けねじを、一方の地板側に形成された、めねじに螺合させることによって、二つの地板を固着するようにした場合の一例を示したものであり、図８（ａ）は固着状態を示した断面図であり、図８（ｂ）はその取り付け方を説明するための断面図である。この場合は、シャッタ地板４１と補助地板４４の両方に、夫々孔４１ａ，４４ａが形成されている。これらのシャッタ地板４１と補助地板４４については材質を問わない。金属製の軸部材４５は、筒状に形成されていて、その軸方向の両端部には小径部４５ａ，４５ｂが形成され、内部にはねじ部４５ｃが形成されている。この軸部材４５は、前もって、小径部４５ａを孔４１ａに嵌合させ、かしめ加工によってシャッタ地板４１に一体化させておく。そこで、補助地板４４をシャッタ地板４１に取り付けるには、補助地板４４の孔４４ａを軸部材４５の小径部４５ｂに嵌合させ、取付けねじ４６のねじ部４６ａをねじ部４５ｃに螺合させることによって固着している。
【０００６】
図９は、もう一つの従来例を示したものであって、図９（ａ）は固着状態を示した断面図であり、図９（ｂ）はその取り付け方を説明するための断面図である。この場合は、シャッタ地板５１は合成樹脂製であって、一体成形によって筒部５１ｅが設けられている。補助地板５４の材質は問わない。また、その筒部５１ｅの外部には大径部５１ｅ−１と小径部５１ｅ−２が形成されていて、内部には大径孔５１ｅ−３と小径孔５１ｅ−４が形成されている。そして、補助地板５４をシャッタ地板５１に取り付けるには、補助地板５４の孔５４ｊを小径部５１ｅ−２に嵌合させておき、取付けねじ５６を、補助地板５４側から大径孔５１ｅ−３に挿入し、ねじ込む。このとき、取付けねじ５６のねじ部５６ａは、そのねじ径が、大径孔５１ｅ−３の直径よりも小さく、小径孔５１ｅ−４の直径よりも大きいため、ねじ部５６ａは小径孔５１ｅ−４にねじ込まれることになり、補助地板５４は、取付けねじ５６の頭によって、大径部５１ｅ−１と小径部５１ｅ−２の間の段部に押しつけられることになる。
【０００７】
【発明が解決しようとする課題】
ところで、上記した従来例のうち、図８で説明したものは、補助地板をシャッタ地板に固着する前に、金属製の軸部材を別に製作しなくてはならないことと、それを、かしめ加工によって、前もってシャッタ地板に取り付けておかなければならないため、コスト高になるという問題点がある。また、図９で説明したものは、筒部が合成樹脂製であって肉薄であり、取付けねじが大径孔の面に接していないため、補助地板を位置決めし固定する構成としては、強度不足となる難点がある。それだからといって、小径部の直径を大きくすることによって肉厚にしようとすると、必然的に大径部の直径を大きくしなければならなくなり、羽根室内のスペースを好適に確保できなくなってしまう。反対に、大径孔の直径を小径孔の直径と同様に小さくして肉厚にしようとすると、取付けねじをねじ込んだとき、大径部が変形して膨らんだり割れてしまったりして、シャッタ羽根の作動に支障を来してしまうことがあるという問題点がある。
【０００８】
本発明は、このような問題点を解決するためになされたものであり、その目的とするところは、少なくとも一方が合成樹脂製であって、それらの間に少なくとも一つの羽根室を構成する二つの地板を、取付けねじによって好適に固着することができるようにしたカメラ用シャッタを提供することである。
【０００９】
【課題を解決するための手段】
上記の目的を達成するために、本発明は、第１地板と第２地板とが取付けねじによって取り付けられ、それらの間に、シャッタ羽根を収容するための少なくとも一つの羽根室を構成するカメラ用シャッタにおいて、合成樹脂製の前記第１地板には一体成形によって筒部が設けられ、該筒部は、前記第１地板側に大径部を有し、前記第２地板側に該第２地板の取付け孔に嵌合する小径部を有していると共に、前記大径部の内部が前記取付けねじの外径よりも大きい大径孔として形成され、前記小径部の内部が前記取付けねじの外径よりも小さい小径孔として形成されており、前記取付けねじが前記第１地板側から前記大径孔に挿入されて前記小径孔にねじ込まれたとき、前記小径部が径方向外側に変形することによって、前記筒部と前記取付け孔が固着されるようにする。
また、その場合、前記第２地板が、カメラ内において、被写体側に配置される地板であるようにすると、シャッタの組立上、有利である。
【００１０】
【発明の実施の形態】
本発明の実施の形態を、図１〜図６に示した第１実施例と図７に示した第２実施例によって説明する。これらの実施例は、いずれも本発明を、フォーカルプレンシャッタに適用したものであって、図１はセット状態にある第１実施例のフォーカルプレンシャッタを被写体側から視た平面図であり、図２〜図５は図１に示した主な構成要素を、図１の表面側から背面側に向けて、配置されている順に示した平面図である。また、図６（ａ）は図１のＡ−Ａ線で断面した要部の拡大断面図であり、図６（ｂ）は図６（ａ）の構成の取り付け方を説明するための拡大断面図であって、いずれも、発明とは直接関係のない部材の図示を省略してある。更に、図７は、第２実施例を、図６と同様にして示した図である。
【００１１】
〔第１実施例〕
本実施例の各構成要素を説明する。シャッタ地板１は、図２（ａ）に示すように、略中央部に開口部１ａが形成されていて、その左側の側方位置には円弧状の長孔１ｂ，１ｃと窓１ｄが形成されている。そして、長孔１ｂ，１ｃの下端部には、周知のようにして、Ｃ字状の平面形状をしたゴム製の緩衝部材２，３が取り付けられている。また、このシャッタ地板１には、軸１ｅ，１ｆ，１ｇ，１ｈ，１ｉが、かしめ加工によって立設されている。そのうち軸１ｉは図の表面側に立設され、軸１ｆ，１ｈは背面側に立設されているが、軸１ｅ，１ｇは表裏に貫通しており、表面側の軸径の方が、背面側の軸径よりも僅かに大きくなっている。また、シャッタ地板１の表面側において、軸１ｆ，１ｈ，１ｉの根元には座部が形成されている。更に、シャッタ地板１は、図２（ａ）に示したように、四隅に、孔１ｊ，１ｋ，１ｍ，１ｎ，１ｐ，１ｑ，１ｒが形成されている。そのうち、孔１ｊ，１ｋ，１ｍ，１ｎは、後述する補助地板２４との取付け孔であり、孔１ｐ，１ｑ，１ｒはシャッタユニットをカメラへ取り付けるための孔である。
【００１２】
軸１ｅ，１ｇの表面側には、周知のように、図示していない先羽根用駆動部材と後羽根用駆動部材が回転可能に取り付けられていて、それらに設けられた駆動ピンが、円弧状の長孔１ｂ，１ｃを貫通して、後述する先羽根群と後羽根群の夫々のアームに連結している。更に、軸１ｉには、周知のように、図示していないセット部材が回転可能に取り付けられていて、そのセット部材に設けられたピンが窓１ｄに挿入されている。従って、先羽根用駆動部材，後羽根用駆動部材，セット部材は、所定の角度だけしか回転できないようになっている。尚、周知であるため詳しく説明するまでもないことであるが、セット部材と、先羽根用駆動部材，後羽根用駆動部材との関係は、シャッタのセット時において、セット部材が時計方向へ回転されたとき、先羽根用駆動部材と後羽根用駆動部材が、図示していない先羽根用駆動ばねと後羽根用駆動ばねの付勢力に抗して反時計方向へ回転されるようになっている。
【００１３】
また、これらの三つの軸１ｅ，１ｇ，１ｉの先端部には、シャッタ地板１と略平行になるようにして、図示していない支持板が取り付けられている。そして、シャッタ地板１と支持板との間には、上記した先羽根用駆動部材，後羽根用駆動部材，セット部材のほかに、先羽根用駆動ばね，後羽根用駆動ばね，先羽根用電磁石，後羽根用電磁石，フラッシュ用スイッチなど種々の部材が配置されているが、それらの一般的な配置構成については周知であるし、本発明とは直接関係がないので、詳しい説明を省略する。
【００１４】
このようなシャッタ地板１の背面側に、図２（ｂ）〜図５（ｃ）に示されている各構成要素が順に取り付けられているが、それらについての具体的な説明を行う前に、ここで、それらの全体構成に関する説明をしておく。シャッタ地板１の背面側には、夫々、所定の間隔を空けて中間板１４（図４（ａ））と補助地板２４（図５（ｃ））とが取り付けられ、シャッタ地板１と中間板１４との間が先羽根群６（図３（ｂ））の羽根室となり、中間板１４と補助地板２４との間が後羽根群１５（図４（ｂ））の羽根室となっている。また中間板１４と補助地板２４にも、略中央部に開口部１４ａ，２４ａが形成されており、通常は、シャッタ地板１の開口部１ａをそれらに重ね合わせることにより、略長方形をした露光開口が形成されているが、本実施例においては、開口部１ａが露光開口を規制している。
【００１５】
そこで、先ず、シャッタ地板１の右側の背面には、図２（ｂ）に示した先羽根用押さえ板４が、その孔４ａ，４ｂを、シャッタ地板１の孔１ｍ，１ｎに合わせるようにして配置されている。また、先羽根用押さえ板４の背面には、図３（ａ）に示した間座５が、先羽根用押さえ板４の孔４ｂに合わせるようにして、即ちシャッタ地板１の孔１ｎに合わせるようにして配置されている。
【００１６】
次に、図３（ｂ）に示されている先羽根群６は、二つのアーム７，８と、それらに枢支されている４枚の羽根９，１０，１１，１２によって構成されている。そして、最先端に枢支されている羽根１２がスリット形成羽根である。アーム７は、一端に取り付けられたスリーブ７ａの孔をシャッタ地板１の軸１ｅに嵌合させて枢着され、アーム８は、一端に形成された孔８ａをシャッタ地板１の軸１ｆに嵌合させることによって枢着されている。更に、各羽根９，１０，１１，１２の枢支は、夫々、連結軸によって行われている。各連結軸はリベット部品であって、アームと羽根に形成されている孔にアーム側から挿入し、その挿入端を羽根にかしめて固定している。従って、先羽根群６の場合には、連結軸の頭が、アーム７，８よりもシャッタ地板１側に突き出ていることになる。
【００１７】
また、アーム７に形成された孔７ｂには、既に説明した図示していない先羽根用駆動部材の駆動ピンが嵌合される。図３（ｂ）はセット状態を示しているため、羽根９，１０，１１，１２は展開状態になっているが、アーム７が、この状態から、上記の駆動ピンによって時計方向へ回転されると、相互の重なりを大きくしつつ下方へ作動し、重畳状態となって露光開口から退避するようになっている。また、その後、セット作動時に、アーム７が反時計方向へ回転された場合には、上記とは反対に、各羽根９，１０，１１，１２は、相互の重なりを小さくしつつ上方へ作動し、図３（ｂ）の状態に復帰するようになっている。更に、シャッタ地板１の左下の背面には、図３（ｃ）に示したゴム製の輪状をした緩衝部材１３が、シャッタ地板１の孔１ｊに合わせるようにして配置されている。
【００１８】
先羽根群６の背面に配置されている中間板１４は、図４（ａ）に示されているように、開口部１４ａと四つの孔１４ｂ，１４ｃ，１４ｄ，１４ｅを有している。そして、孔１４ｂは、緩衝部材１３の孔、即ちシャッタ地板１の孔１ｊに合わせられる。また、孔１４ｃは、シャッタ地板１の孔１ｋに合わせられる。更に、孔１４ｄは、シャッタ地板１の孔１ｍと先羽根用押さえ板４の孔４ａに合わせられ、孔１４ｅは、シャッタ地板１の孔１ｎと間座５の孔に合わせられる。
【００１９】
中間板１４の背面側には、図４（ｂ）に示す後羽根群１５が配置されている。この後羽根群１５は、二つのアーム１６，１７と、それらに枢支されている４枚の羽根１８，１９，２０，２１で構成されていて、それらの重なり関係は、先羽根群６の場合とは逆になっている。従って、リベット部品である連結軸を用いた枢支構成は、先羽根群６の場合と同じであるが、連結軸の頭は、図４（ｂ）の背面側となっている。そして、アーム１６，１７の最先端に枢支されている羽根２１がスリット形成羽根である。また、アーム１６は、一端に取り付けられたスリーブ１６ａの孔をシャッタ地板１の軸１ｇに嵌合させて枢着され、アーム１７は、一端に形成された孔１７ａをシャッタ地板１の軸１ｈに嵌合させることによって枢着されている。
【００２０】
アーム１６には、もう一つの孔１６ｂが形成されており、そこに、図示していない後羽根用駆動部材の駆動ピンが嵌合するようになっている。また、セット状態を示した図４（ｂ）においては、羽根１８，１９，２０，２１は、露光開口から退避した重畳状態となっているが、アーム１６が、この状態から、上記の駆動ピンによって時計方向へ回転されると、相互の重なりを小さくしつつ下方へ作動し、展開状態となって露光開口を覆うようになっている。また、その後、セット作動時において、アーム１６が反時計方向へ回転された場合には、各羽根１８，１９，２０，２１は、相互の重なりを大きくしつつ上方へ作動し、図４（ｂ）の状態に復帰して露光開口から退くようになっている。
【００２１】
図５（ａ）に示した間座２２は、中間板１４の孔１４ｄに合わせて配置され、その背面には、図５（ｂ）に示した後羽根用押さえ板２３が、その孔２３ａを間座２２の孔に合わせ、また孔２３ｂを中間板１４の孔１４ｅに合わせて配置されている。そして、このシャッタユニットの一番背面側には、図５（ｃ）に示した合成樹脂製の補助地板２４が配置されている。
【００２２】
補助地板２４の略中央に形成された開口部２４ａの周囲には、開口部２４ａに向けて板厚が薄くなるように斜面２４ｂが形成されている。また、円弧状の長孔２４ｃは、シャッタ地板１の長孔１ｃと対応する位置に形成されていて、図示していない後羽根用駆動部材の駆動ピンの先端が挿入されるようになっている。また、開口部２４ａの下方位置に形成された棚部２４ｄには、ゴム製の直方体の緩衝部材２５が取り付けられている。更に、この補助地板２４の四隅には、シャッタ地板１との固着に必要な筒部２４ｅ，２４ｆ，２４ｇ，２４ｈが、シャッタ地板１に向けて立設されている。
【００２３】
そして、筒部２４ｅは、順に、上記した中間板１４の孔１４ｂ、緩衝部材１３の孔、シャッタ地板１の孔１ｊに嵌合させている。また、筒部２４ｆは、中間板１４の孔１４ｃ、シャッタ地板１の孔１ｋに嵌合させている。また、筒部２４ｇは、後羽根用押さえ板２３の孔２３ａ、間座２２の孔、中間板１４の孔１４ｄ、先羽根用押さえ板４の孔４ａ、シャッタ地板１の孔１ｍに、順に嵌合させている。また、筒部２４ｈは、後羽根用押さえ板２３の孔２３ｂ、中間板１４の孔１４ｅ、間座５の孔、先羽根用押さえ板４の孔４ｂ、シャッタ地板１の孔１ｎに、順に嵌合させている。そして、図１に示すように、筒部２４ｅ，２４ｆ，２４ｇ，２４ｈの孔に、取付けねじ２６，２７，２８，２９を、補助地板２４の背面側からねじ込むことによって固着されている。
【００２４】
上記した４箇所における固着方法は、いずれも同じである。そこで、それらを代表し、取付けねじ２６による筒部２４ｅの取付け方法を、図６を用いて詳しく説明する。図６（ａ）は固着状態を示した断面図であり、図６（ｂ）はその取り付け方を説明するための断面図である。この場合、シャッタ地板１は合成樹脂製であっても金属製であっても差し支えない。また、補助地板２４は、上記したように合成樹脂製であって、一体成形によって設けられた筒部２４ｅには、大径部２４ｅ−１と小径部２４ｅ−２が形成されていて、内部には大径孔２４ｅ−３と小径孔２４ｅ−４が形成されている。
【００２５】
そして、補助地板２４をシャッタ地板１に取り付けるには、先ず、筒部２４ｅの小径部２４ｅ−２を、シャッタ地板１の孔１ｊに嵌合させる。この嵌合は、圧入でもよいし、僅かであれば間隙を持たせても差し支えない。次に、取付けねじ２６を、補助地板２４側から大径孔２４ｅ−３に挿入する。このとき、取付けねじ２６のねじ部２６ａの直径は、大径孔２４ｅ−３の直径よりも小さく、小径孔２４ｅ−４の直径よりも大きいため、大径部２４ｅ−１を変形させたり、破壊させるようなことがなく、羽根群の作動には何ら影響を与えるようなことがない。
【００２６】
次に、取付けねじ２６を小径孔２４ｅ−４にねじ込むと、小径部２４ｅ−２には径方向への力が作用し、変形させられることによって、シャッタ地板１に固着される。このとき、シャッタ地板１の孔１ｊの縁にも力が加わるが、シャッタ地板１は板厚寸法が大きいので、たとえ合成樹脂製であっても、破壊されるようなことはない。また、万が一、小径部２４ｅ−２に亀裂が生じるようなことがあっても、その亀裂が僅かであれば、小径部２４ｅ−２は孔１ｊの内面と、ねじ部２６ａによって、しっかりと挟圧されているので、強度的に問題となるようなことはない。
【００２７】
ここで、本発明とは直接関係がないが、本実施例の作動を簡単に説明しておく。上記したように、図１は、シャッタのセット状態を示している。撮影に際して、カメラのレリーズボタンが押されると、先ず、軸１ｅ，１ｇに取り付けられている図示していない各駆動部材が電磁石の磁力によって吸着保持され、その段階で軸１ｉに取り付けられている図示していないセット部材をセット前位置へ復帰させる。従って、先羽根用駆動部材と後羽根用駆動部材とは、上記の各電磁石の通電が断たれた場合、セット部材によって阻止されず、各駆動ばねの付勢力によって、軸１ｅ，１ｇにおいて時計方向への回転を開始し得る状態になる。
【００２８】
次に、その状態において、先ず、先羽根用電磁石への通電が断たれる。そのため、軸１ｅに回転可能に取り付けられている図示していない先羽根用駆動部材は、先羽根用駆動ばねの付勢力によって時計方向へ急速に回転させられる。そして、先羽根用駆動部材の駆動ピンが円弧状の長孔１ｂに沿って下方へ作動し、アーム７を時計方向へ回転させるため、羽根９，１０，１１，１２は重畳しつつ下方へ作動して、スリット形成羽根１２のスリット形成縁（図３（ｂ）において上側の端縁）が露光開口を開いて行く。
【００２９】
その後、先羽根群６は露光走行を続け、スリット形成羽根１２のスリット形成縁が、開口部１ａの下辺位置を通過した直後に、先羽根用駆動部材の駆動ピンが緩衝部材２に衝突し、衝撃を吸収されて停止する。しかし、アーム７は、その孔７ｂと駆動ピンとの間に嵌合公差があることから、その公差分だけ、慣性力によって時計方向へ回転し、緩衝部材１３に衝突し、衝撃を吸収されて停止する。このようにしてアーム７が停止すると、アーム７と各羽根９，１０，１１，１２との間に嵌合公差があることから、その公差分だけ、各羽根９，１０，１１，１２は慣性力によって作動し、それらの下側の端縁が緩衝部材２５に当接することによって停止する。
【００３０】
他方、先羽根群６の露光走行開始後、所定時間が経過すると、今度は、後羽根用電磁石への通電が断たれ、図示していない後羽根用駆動部材が、後羽根用駆動ばねの付勢力によって時計方向へ回転させられる。そのため、後羽根用駆動部材の駆動ピンは、円弧状の長孔１ｃに沿って下方へ作動し、アーム１６を時計方向へ回転させる。その結果、羽根１８，１９，２０，２１は、展開しつつ下方へ作動し、露光開口を覆って行く。その後、スリット形成羽根２１のスリット形成縁が、開口部１ａの下辺位置を過ぎると、図示していない後羽根用駆動部材の駆動ピンが緩衝部材３に当接し、衝撃を吸収されて停止する。尚、本実施例においては、アーム１６が直接当接する緩衝部材や、少なくともスリット形成羽根２１の直接当接する緩衝部材が設けられていないが、必要に応じて設けることが可能である。
【００３１】
このようにして露光作動が行われた後、セット作動が行われる。その場合には、軸１ｉに取り付けられている図示していないセット部材を反時計方向へ回転させることによって行われる。それによって、軸１ｅ，１ｇに取り付けられている図示していない先羽根用駆動部材と後羽根用駆動部材が、夫々の駆動ばねの付勢力に抗して、反時計方向へ回転される。その結果、先羽根群６の羽根９，１０，１１，１２は展開されつつ上方へ作動し、後羽根群１５の羽根１８，１９，２０２１は重畳されつつ上方へ作動して、セット状態に復帰する。尚、そのセット作動に際しては、先ず、先羽根用駆動部材の方が、後羽根用駆動部材よりも若干先に回転され、先羽根群６のスリット形成羽根１２と、後羽根群１５のスリット形成羽根２１との重なり量が所定量に達した段階で、後羽根用駆動部材が回転を開始させられるようになっている。そのため、セット作動中において、２枚のスリット形成羽根１２，２１の間から漏光するようなことがない。
【００３２】
〔第２実施例〕
次に、図７を用いて第２実施例を説明する。本実施例は、第１実施例の場合とは反対に、筒部をシャッタ地板に設けるようにしたものであって、その他の構成は第１実施例の場合と全く同じである。従って、それらの構成の説明と、作動の説明については、重複を避けるために省略する。
【００３３】
図７（ａ）は固着状態を示した断面図であり、図７（ｂ）はその取り付け方を説明するための断面図である。本実施例の場合、シャッタ地板３１は合成樹脂製であって、補助地板３４は合成樹脂製であっても金属製であっても差し支えない。また、シャッタ地板３１には、一体成形によって筒部３１ｅが設けられており、その筒部３１ｅには、大径部３１ｅ−１と小径部３１ｅ−２が形成されていて、内部には大径孔３１ｅ−３と小径孔３１ｅ−４が形成されている。
【００３４】
そして、補助地板３４をシャッタ地板３１に取り付けるには、先ず、筒部３１ｅの小径部３１ｅ−２を、補助地板３４の孔３４ｊに嵌合させる。この嵌合は、第１実施例の場合と同様に、圧入でもよいし、僅かであれば間隙を持たせても差し支えない。次に、取付けねじ２６を、シャッタ地板３１側から大径孔３１ｅ−３に挿入する。このとき、取付けねじ２６のねじ部２６ａの直径は、大径孔３１ｅ−３の直径よりも小さく、小径孔３１ｅ−４の直径よりも大きいため、大径部３１ｅ−１を変形させることがない。そして、取付けねじ２６を小径孔３１ｅ−４にねじ込むと、小径部３１ｅ−２は変形され、補助地板３４に固着される。
【００３５】
このとき、補助地板３４は、合成樹脂製であっても破壊されるようなことはないし、万が一、小径部３１ｅ−２に亀裂が生じても、その亀裂が僅かであれば、強度的に問題となるようなことがないことは、第１実施例の場合と同様である。尚、通常、シャッタユニットを組み立てる場合には、シャッタ地板を、その被写体側の面を下にして治具の上に置き、その上へ、第１実施例の構成説明の順に、各部材を順に取り付けていくのが普通であるから、そのまま取付けねじで固定することができるという点では、第１実施例の方が有利である。但し、第２実施例の場合には、上記の順に組み立てる場合、筒部が、最初から上方に向けて垂直になっているため、各部材を筒部に、順に、確実に組み付けていけるという利点がある。
【００３６】
尚、上記した各実施例においては、シャッタ地板と補助地板を４箇所で固着し、しかも４箇所とも同じ方法で固着する場合について説明したが、本発明は、そのようにすることに限定されず、固着箇所は何箇所でもよいし、その一部にだけ本発明を適用することを妨げるものではない。また、上記の各実施例は、本発明を、フォーカルプレンシャッタに適用した場合で説明したが、レンズシャッタにも適用できることは言うまでもないことである。
【００３７】
【発明の効果】
上記のように、本発明における二つの地板の取付け構成は、その取り付けのために要するスペースが小さく且つ所定の取り付け強度が確実に得られるので、シャッタの小型化に極めて有利である。また、特別な部材を用意することなく、取付けねじによって二つの地板を固着するので、低コストなシャッタが得られるという特徴を有している。
【図面の簡単な説明】
【図１】第１実施例を被写体側から視た平面図である。
【図２】第１実施例の主な構成要素の一部を夫々示した平面図であって、一番被写体側に配置されているものを図２（ａ）とし、その背面側に配置されているものを図２（ｂ）として示している。
【図３】第１実施例の主な構成要素の一部を夫々示した平面図であって、概して図２の背面側に配置されているものを、図３（ａ），図３（ｂ），図３（ｃ）として示している。
【図４】第１実施例の主な構成要素の一部を示した平面図であって、図３に示したものより背面側に配置されているものを、配置の順に図４（ａ），図４（ｂ）として示している。
【図５】第１実施例の主な構成要素の一部を示した平面図であって、概して図４に示したものより背面側に配置されているものを、図５（ａ），図５（ｂ），図５（ｃ）として示している。
【図６】図６（ａ）は図１のＡ−Ａ線で断面した要部の拡大断面図であり、図６（ｂ）は図６（ａ）の構成の取り付け方を説明するための拡大断面図であって、いずれも、発明とは直接関係のない部材の図示を省略してある。
【図７】第２実施例を図６と同様にして示した図であって、図７（ａ）はその断面図であり、図７（ｂ）は図７（ａ）の構成の取り付け方を説明するための断面図である。
【図８】従来例を図６と同様にして示した図であって、図８（ａ）はその断面図であり、図８（ｂ）は図８（ａ）の構成の取り付け方を説明するための断面図である。
【図９】図８に示したものとは異なる従来例を、図６と同様にして示した図であって、図９（ａ）はその断面図であり、図９（ｂ）は図９（ａ）の構成の取り付け方を説明するための断面図である。
【符号の説明】
１，３１，４１，５１      シャッタ地板
１ａ，１４ａ，２４ａ      開口部
１ｂ，１ｃ，２４ｃ        長孔
１ｄ                      窓
１ｅ，１ｆ，１ｇ，１ｈ，１ｉ  軸
１ｊ，１ｋ，１ｍ，１ｎ，１ｐ，１ｑ，１ｒ，４ａ，４ｂ，７ｂ，８ａ，１４ｂ，１４  ｃ，１４ｄ，１４ｅ，１６ｂ，１７ａ，２３ａ，２３ｂ，３４ｉ，４１ａ，４４ａ，５  ４ｊ                      孔
２，３，１３，２５        緩衝部材
４                        先羽根用押さえ板
５，２２                  間座
６                        先羽根群
７，８，１６，１７        アーム
７ａ，１６ａ              スリーブ
９，１０，１１，１２，１８，１９，２０，２１  羽根
１４                      中間板
１５                      後羽根群
２３                      後羽根用押さえ板
２４，３４，４４，５４    補助地板
２４ｂ                    斜面
２４ｄ                    棚部
２４ｅ，２４ｆ，２４ｇ，２４ｈ，３１ｅ，５１ｅ  筒部
２４ｅ−１，３１ｅ−１，５１ｅ−１  大径部
２４ｅ−２，３１ｅ−２，４５ａ，４５ｂ，５１ｅ−２  小径部
２４ｅ−３，３１ｅ−３，５１ｅ−３  大径孔
２４ｅ−４，３１ｅ−４，５１ｅ−４  小径孔
２６，２７，２８，２９，４６，５６  取付けねじ
２６ａ，４５ｃ，４６ａ，５６ａ  ねじ部
４５                      軸部材
【図１】
0004021076.tif 000002
【図２】
0004021076.tif 000003
【図３】
0004021076.tif 000004
【図４】
0004021076.tif 000005
【図５】
0004021076.tif 000006
【図６】
0004021076.tif 000007
【図７】
0004021076.tif 000008
【図８】
0004021076.tif 000009
【図９】
0004021076.tif 000010